(57)【要約】【課題】表示窓を注視しなくても各種メニューの位置を容易に認知できるようにしたロータリースイッチの選択メニュー別ハプティックフィーリング差別化方法を提供する。【解決手段】電子製品の各種機能の具現のために、ハプティックロータリースイッチを操作しながら各種メニューを選択する時、メインメニューの項目の選択時、メインメニューから下位メニューにまたは下位メニューからメインメニューに移動する時、また、各下位メニューの項目の選択時に、振動及び回動抵抗によるハプティックフィーリングが異なって表出するようにしたことを特徴とする。【選択図】図４
2012113684.tif 000002
【特許請求の範囲】
【請求項１】
電子製品の各種機能の具現のために、ハプティックロータリースイッチを操作しながら各種メニューを選択する時、メインメニュー項目の選択時、メインメニューから下位メニューにまたは下位メニューからメインメニューに移動する時、また、各下位メニュー項目の選択時に、振動及び回動抵抗によるハプティックフィーリングが異なって表出するようにしたことを特徴とするロータリースイッチの選択メニュー別ハプティックフィーリング差別化方法。
【請求項２】
前記メインメニュー及び下位メニュー別ハプティックフィーリングの強度は、ユーザ設定モードにより、強いフィーリング、正常フィーリング、弱いフィーリングにセッティング調節できることを特徴とする請求項１に記載のロータリースイッチの選択メニュー別ハプティックフィーリング差別化方法。
【請求項３】
前記メインメニュー及び下位メニューの各項目別に移動する時のハプティック強度が互いに異なるようにセッティングされることを特徴とする請求項１に記載のロータリースイッチの選択メニュー別ハプティックフィーリング差別化方法。
【請求項４】
前記メインメニューをはじめとして各下位メニューの項目を選択するためのスクロール時のハプティックフィーリングの強度より、メインメニューから下位メニューにまたは下位メニューからメインメニューに移動する時のハプティックフィーリングの強度の方が大きく設定されることを特徴とする請求項１または請求項３に記載のロータリースイッチの選択メニュー別ハプティックフィーリング差別化方法。
【請求項５】
前記メインメニューをはじめとして各下位メニューの項目を選択するためのスクロール時のハプティックフィーリングの強度より、最上位から最下位の項目へ移動する時の、または、最下位から最上位の項目へ移動する時のハプティックフィーリングの強度の方が大きく設定されることを特徴とする請求項１または請求項３に記載のロータリースイッチの選択メニュー別ハプティックフィーリング差別化方法。
【発明の詳細な説明】
【技術分野】
【０００１】
本発明は、ロータリースイッチの選択メニュー別ハプティックフィーリング差別化方法に係り、より詳細には、電子製品の各種機能をセッティングまたは選択するためにロータリースイッチをスクロールする時のハプティックフィーリングを、各メニュー別に差別化できるようにしたロータリースイッチの選択メニュー別ハプティックフィーリング差別化方法に関する。
【背景技術】
【０００２】
ハプティクス（Ｈａｐｔｉｃｓ）は、触覚（Ｈａｐｔｉｃ）を用いてユーザに各種情報を提供するための技術分野の一つであって、主に人間が触感を受け入れ、物体を認識するか、または感情を発生させる過程を研究し、これを情報提供用の機器などに結び付けている。
【０００３】
このように、ハプティクスを用いた技術は、携帯電話、自動車、感性が要求されるロボットなどのような多様な分野に適用されており、人工的な触感を作りだすための段階によって触感認知、触感モデリング及びレンダリング、触感生成機器製作の過程などを経て製品化されており、その一例として携帯電話のタッチ操作スイッチと、車両のクラスターメニューを制御するためにステアリングホイールに装着されるロータリースイッチなどが挙げられる。
【０００４】
一方、自動車のステアリングホイールには、多様なスイッチ装置が集約して装着されているが、各種の便宜装置及び電装品などの個数が増加するに伴い、これを操作する運転手の操作利便性を向上させるために、ステアリングホイールに装着されるスイッチ類も増加している。このため、走行中にユーザがスイッチを操作するためにステアリングホイール側に注意力が分散し、走行中の安全性を低下させる恐れがある。
【０００５】
韓国登録特許９４７，７２９には、運転者の走行利便性及び安全性を考慮すると同時に、運転者の走行集中力を維持させることができるスイッチ類の一種として、ステアリングホイールに設けられるステアリングホイールハプティックスイッチユニットが開示されている。
これは、回転力を生成するハプティックロータリースイッチ駆動部と、回転力の伝達を受けるハプティックロータリースイッチノブを備えるハプティックロータリースイッチ部と、ハプティックロータリースイッチ感知センサとハプティックロータリースイッチ感知対応部とを有するハプティックロータリースイッチ感知部とを備え、振動及び回動抵抗により触感を感じることができるようにしたステアリングホイールハプティックスイッチユニットである。
【０００６】
しかし、運転者が各種メニューを選択するためにハプティックロータリースイッチを操作するとき、各メニューごとに振動及び回動抵抗による触感が同一に伝達され、走行のための前方注視の状況でいかなるメニューを選択したかを判断し難い短所があり、結局、運転者は、走行中にメニューをディスプレイしているクラスターの表示窓を継続して注視しなければならないので、走行安全性が落ちる短所がある。
【先行技術文献】
【特許文献】
【０００７】
【特許文献１】特開２００３−１４０８１０号公報
【発明の概要】
【発明が解決しようとする課題】
【０００８】
本発明は、上記問題点を勘案してなされたものであって、各種メニューを選択するためのハプティックロータリースイッチのスクロール操作時、メインメニュー項目の選択時、そしてメインメニューから下位メニューへの移動時、また、各下位メニュー項目の選択時に、振動及び回動抵抗による触感がユーザにとって互いに異なるように伝達されるようにして、表示窓を注視しなくても各種メニューの位置を容易に認知できるようにしたロータリースイッチの選択メニュー別ハプティックフィーリング差別化方法を提供することにその目的がある。
【課題を解決するための手段】
【０００９】
上記目的を達成するためになされた本発明は、電子製品の各種機能の具現のために、ハプティックロータリースイッチを操作しながら各種メニューを選択する時、メインメニュー項目の選択時、メインメニューから下位メニューにまたは下位メニューからメインメニューに移動する時、また、各下位メニューの項目の選択時に、振動及び回動抵抗によるハプティックフィーリングが異なって表出するようにしたことを特徴とする。
【００１０】
本発明の望ましい具体例として、前記メインメニュー及び下位メニュー別ハプティックフィーリングの強度は、ユーザ設定モードにより、強いフィーリング、正常フィーリング、弱いフィーリングにセッティング調節できることを特徴とする。
【００１１】
また、前記メインメニュー及び下位メニューの各項目をスクロールする時のハプティック強度が互いに異なるようにセッティングされることを特徴とする。
【００１２】
前記メインメニューをはじめとして各下位メニューの項目を選択するためのスクロール時のハプティックフィーリングの強度より、メインメニューから下位メニューにまたは下位メニューからメインメニューに移動する時のハプティックフィーリングの強度の方が大きく設定されることを特徴とする。
【００１３】
前記メインメニューをはじめとして各下位メニューの項目を選択するためのスクロール時のハプティックフィーリングの強度より、最上位から最下位の項目へ移動する時の、または、最下位から最上位の項目へ移動する時のハプティックフィーリングの強度の方が大きく設定されることを特徴とする。
【発明の効果】
【００１４】
本発明によれば、各種の電子製品の機能を選択するためのハプティックロータリースイッチのスクロール時に、各メニュー別の移動時に差別化されたハプティックフィーリングの強度を提供することにより、ブラインドコントロールが可能である。
例えば、車両のステアリングホイールにハプティックロータリースイッチを装着し、クラスターディスプレイに表示される各種メニュー（車両設定（ドア及びシートなどの位置調節など）、トリップコンピュータ、ＡＶシステムの操作及び設定）を選択するためのスクロール時に、各メニュー別にハプティックフィーリングを互いに異なるように差別化することにより、ユーザの知識によって現在のメニュー項目及び位置を容易に認知することができるので、ディスプレイ画面を見なくても、スイッチの操作及びメニューの選択ができるブラインドコントロールが可能であり、これにより走行時に前方注視の状態が維持され、安全運転が確保できる。
【図面の簡単な説明】
【００１５】
【図１】本発明によるハプティックロータリースイッチが設けられた例を示す概略図である。
【図２】（ａ）、（ｂ）は、本発明によるハプティックロータリースイッチのハプティック強度を調節する例を示す概略図である。
【図３】本発明によるハプティックロータリースイッチのハプティック強度を調節する例を示すフローチャートである。
【図４】本発明によるハプティックロータリースイッチのメニュー選択のためのスクロール時のハプティック強度を差別化させた例を説明する概略図である。
【図５】本発明によるハプティックロータリースイッチのメニュー選択のためのスクロール時のハプティック強度を差別化させた例を説明する概略図である。
【発明を実施するための形態】
【００１６】
以下、本発明の望ましい実施例を添付図面を参照して詳細に説明する。
本発明は、各種の電子機器（携帯電話、ロボットなど）に搭載され、ユーザに触感及び振動による情報を伝達するためのハプティックロータリースイッチに関し、以下では、本発明の理解を促進するために、ハプティックロータリースイッチが車両のステアリングホイールに設けられた場合を例にして説明する。
図１に示すように、車両のステアリングホイールには、ハプティックロータリースイッチ１０が装着されており、このハプティックロータリースイッチ１０のスクロール操作によるメニュー選択の画面であるフルＴＦＴ‐ＬＣＤクラスター表示窓２０が、運転席全面に構成されている。
特に、上記ハプティックロータリースイッチ１０は、振動及び回動抵抗による触感をユーザに伝達するための振動モータ（図示せず）を含み、この振動モータには、振動の強度などを制御するための制御器（図示せず）が連結される。
【００１７】
車両の各種機能を具現するために、ハプティックロータリースイッチ１０のスクロール操作によって選択されるメニューは、メインメニュー（３０：計器板設定、トリップコンピュータ、ＡＶシステム制御、ドアロック及びシート位置の調節などのような車両状態設定など）と、各メインメニュー３０のサブメニューである第１の下位メニュー（３２：例えば、メインメニューである車両状態設定のサブメニューとしてドアの自動ロック、乗下車シートの連動など）と、第１の下位メニュー３２のサブメニューである第２の下位メニュー（３４：例えば、第１の下位メニューであるドアの自動ロックのサブメニューとしてのオン及びオフ）とを含んで構成される。
本発明によれば、ハプティックロータリースイッチ１０をスクロール操作しながら各種メニューを選択する時、各メニュー別に振動及び回動抵抗によるハプティックフィーリングが異なって表出するようにした点、即ち、制御器の制御信号に応じて振動モータの振動強度などが異なって表出するようにした点に特徴がある。
【００１８】
言い換えれば、ハプティックロータリースイッチ１０をスクロール操作しながらメインメニュー３０の項目選択のためのスクロール時、メインメニュー３０から第１の下位メニュー３２に、または第１の下位メニュー３２からメインメニュー３０に移動する時、第１の下位メニュー３２から第２の下位メニュー３４に、または第２の下位メニュー３４から第１の下位メニュー３２に移動する時、各下位メニュー３２、３４の各項目の選択のためのスクロール時に、ハプティックフィーリングが互いに異なって表出するようにすることにより、運転手は、各メニューがディスプレイされるクラスター画面を見なくても、ブラインドコントロールを実施することができ、これにより走行時に前方注視の状態が維持され、安全運転を図ることができる。
【００１９】
このとき、上記のようにメインメニュー３０及び各下位メニュー３２、３４別、そしてメインメニュー３０から下位メニュー３２、３４に移動する時、または、下位メニュー３２、３４からメインメニュー３０に移動する時に、制御部で振動モータに印加される電流の大きさ及び波形を制御し、振動モータの強度などが調節されるようにすることにより、ユーザは、ハプティックフィーリングを互いに異なって感じるようになる。
上記メインメニュー及び下位メニュー別ハプティックフィーリングの強度（例えば、振動モータの振動強度）を、ユーザ設定モードにより、強いフィーリング、正常フィーリング、弱いフィーリングにセッティング調節することができる。
【００２０】
より詳細には、一般の男性と中年以上の男性、そして男性と女性間にハプティックフィーリングを感じる程度が異なるため、図２の（ｂ）及び図３に示すように、強いフィーリング、正常フィーリング、弱いフィーリングも、一般の男性、中年以上の男性、女性の３段階に区分してセッティングできるようにする。
また、ユーザ設定モードによるハプティックフィーリングの程度が調節できるだけでなく、クラスター画面にディスプレイされるメインメニュー及び各下位メニューに対するハプティックフィーリングも互いに異なるように設定することができ、図３に示すように、フィーリング開始ポイントがセンターに設定される場合には、スクロール時にハプティックフィーリングが両端または上下端のメニュー項目まで同一に提供され、両端または上下端のメニュー項目に到達すれば、より大きな強度のハプティックフィーリングが提供されるようにする。
【００２１】
もちろん、ハプティックロータリースイッチのフィーリング開始ポイントは、センターではなく、両端または上下端のメニュー項目に設定されてもよく、この場合にも同様に、両端または上下端のメニュー項目では大きな強度のハプティックフィーリングが提供され、また、両端または上下端のメニュー項目間に存在する項目をスクロールする時には、同一の強度のハプティックフィーリングが提供されるようにする。
また、車両の各種機能を選択するためのメインメニュー３０及び下位メニュー３２、３４の各項目をスクロールする時のハプティック強度が互いに異なるようにセッティングされる。
【００２２】
即ち、図４に示すように、メインメニュー３０の各項目間を移動するスクロール時に、各項目に移動するハプティックの強度と、第１の下位メニュー３２の各項目間を移動するスクロール時に、各項目に移動するハプティックの強度と、第２の下位メニュー３４の各項目間を移動するスクロール時に、各項目に移動するハプティックの強度とを互いに異なるように制御することにより、運転手が直接クラスター画面にディスプレイされるメニューを見なくても、現在カーソルがメインメニューにあるか、または第１及び第２の下位メニューにあるかを、ハプティックの強度によって容易に認知することができる。
【００２３】
また、図５に示すように、上記メインメニュー３０をはじめとして各下位メニュー３２、３４の項目を選択するためのスクロール時のハプティックフィーリングの強度より、メインメニュー３０からそのサブメニューである第１及び第２の下位メニュー３２、３４に移動する時、または、第１及び第２の下位メニュー３２、３４からメインメニュー３０に移動する時のハプティックフィーリングの強度の方を大きく設定することにより、ユーザは、直接クラスター画面にディスプレイされるメニューを見なくても、メインメニューから下位メニューに、または下位メニューからメインメニューに移動したかを容易に認知することができる。
【００２４】
また、上記メインメニュー３０をはじめとして各下位メニュー３２、３４の項目を選択するためのスクロール時に、即ちメニュー項目を選択せずにスクロールのみを続ける場合、最上位から最下位への項目に移動する時、または、最下位から最上位への項目に移動する時のハプティックフィーリングの強度を、最上位と最下位との間の項目間をスクロールする時よりも大きく設定することにより、クラスター画面にディスプレイされるメニューの状態を見なくても、現在カーソルが最上位の項目から最下位の項目へ移動していることを容易に認知することができる。
【００２５】
このように、各種の電子製品の機能選択のためのハプティックロータリースイッチのスクロール時に、各メニュー別のスクロール移動時のハプティックフィーリングの強度を差別化させることにより、ユーザのブラインドコントロールを可能とし、特にハプティックロータリースイッチが車両に適用された場合、クラスターのディスプレイ画面を見なくても、メニューの選択が可能であるため、運転者の前方注視の状態が維持され、安全運転を図ることができる。
【符号の説明】
【００２６】
１０    ハプティックロータリースイッチ
２０    クラスター表示窓
３０    メインメニュー
３２    第１の下位メニュー
３４    第２の下位メニュー
【図１】
2012113684.tif 000003
【図２】
2012113684.tif 000004
【図３】
2012113684.tif 000005
【図４】
2012113684.tif 000006
【図５】
2012113684.tif 000007